(57)【要約】      （修正有）【課題】製造コストを節約し、利用の利便性を向上させることができるタッチ検出方法、タッチ検出装置、及びタッチ表示装置を提供する。【解決手段】タッチ検出方法は、複数のパルス信号を複数の感知シーケンスに出力する段階と、複数のパルス信号を受信したときに、複数の感知シーケンスのうち隣接した感知シーケンスの電圧差を検出し、複数の検出結果を生成する段階と、複数の検出結果に基づいてタッチイベントの状態を判断する段階とを含む。【選択図】図４Ｃ
2011081767.tif 000002
【特許請求の範囲】
【請求項１】
マトリックスとして配列された複数の感知シーケンスを含むタッチパッドでタッチイベントを検出するタッチ検出方法であって、
複数のパルス信号を前記複数の感知シーケンスに出力する段階と、
前記複数のパルス信号を受信したときに、前記複数の感知シーケンスのうち隣接した感知シーケンスの電圧差を検出し、複数の検出結果を生成する段階と、
前記複数の検出結果に基づいてタッチイベントの状態を判断する段階とを含む、タッチ検出方法。
【請求項２】
前記複数の検出結果に基づいてタッチイベントの状態を判断する段階では、前記パルス信号を受信したとき、前記複数の検出結果により第一感知シーケンスと第二感知シーケンスとの電圧差が所定値より大きいと示された場合に、前記タッチイベントがこの第一感知シーケンスか、またはこの第一感知シーケンスに隣接した前記第二感知シーケンスに発生したと判断する、請求項１に記載のタッチ検出方法。
【請求項３】
前記複数の検出結果に基づいてタッチイベントの状態を判断する段階では、前記パルス信号を受信したとき、前記複数の検出結果により前記第一感知シーケンスと前記第二感知シーケンスとの電圧差が所定値より小さいと示された場合に、前記タッチイベントが発生していないと判断する、請求項１に記載のタッチ検出方法。
【請求項４】
前記複数の検出結果に基づいてタッチイベントの状態を判断する段階では、前記複数の検出結果により、前記複数の感知シーケンスのうち隣接した感知シーケンスにおいて所定値より大きい電圧差の数量が所定数より大きいと示された場合に、誤判が発生したと判断する、請求項１に記載のタッチ検出方法。
【請求項５】
前記複数のパルス信号を前記複数の感知シーケンスに出力する段階では、前記複数のパルス信号を前記複数の感知シーケンスに同時に出力する、請求項１に記載のタッチ検出方法。
【請求項６】
前記複数のパルス信号を前記複数の感知シーケンスに出力する段階では、前記複数のパルス信号を前記複数の感知シーケンスに順次出力する、請求項１に記載のタッチ検出方法。
【請求項７】
前記複数のパルス信号を受信したときに、前記複数の感知シーケンスのうち隣接した感知シーケンスの電圧差を検出する段階では、前記複数のパルス信号を受信したときに、前記複数の感知シーケンスのうち隣接した感知シーケンスの電圧差を順次検出し、前記複数の検出結果を生成する、請求項６に記載のタッチ検出方法。
【請求項８】
前記タッチパッドは液晶表示パネルであり、前記複数の感知シーケンスはこの液晶表示パネルのスキャンラインとデータラインである、請求項１に記載のタッチ検出方法。
【請求項９】
マトリックスとして配列された複数の感知シーケンスを含むタッチパッドでタッチイベントを検出するタッチ検出装置であって、
複数のパルス信号を前記複数の感知シーケンスに出力する信号出力モジュールと、
前記複数のパルス信号を受信したときに、前記複数の感知シーケンスのうち隣接した感知シーケンスの電圧差を検出し、複数の検出結果を生成する電圧差検出モジュールと、
前記複数の検出結果に基づいてタッチイベントの状態を判断する判断モジュールとを含む、タッチ検出装置。
【請求項１０】
前記判断モジュールは、前記パルス信号を受信したとき、前記複数の検出結果により第一感知シーケンスと第二感知シーケンスとの電圧差が所定値より大きいと示された場合に、前記タッチイベントがこの第一感知シーケンスか、またはこの第一感知シーケンスに隣接した前記第二感知シーケンスに発生したと判断する、請求項９に記載のタッチ検出装置。
【請求項１１】
前記判断モジュールは、前記パルス信号を受信したとき、前記複数の検出結果により前記第一感知シーケンスと前記第二感知シーケンスとの電圧差が所定値より小さいと示された場合に、前記タッチイベントが発生していないと判断する、請求項９に記載のタッチ検出装置。
【請求項１２】
前記判断モジュールは、前記複数の検出結果により、前記複数の感知シーケンスのうち隣接した感知シーケンスにおいて所定値より大きい電圧差の数量が所定数より大きいと示された場合に、誤判が発生したと判断する、請求項９に記載のタッチ検出装置。
【請求項１３】
前記電圧差検出モジュールは複数の検出ユニットを含み、各検出ユニットは前記複数の感知シーケンスのうち隣接した２つの感知シーケンスに結合され、パルス信号を受信したときに該隣接した２つの感知シーケンスの電圧差を検出する、請求項９に記載のタッチ検出装置。
【請求項１４】
前記各検出ユニットは差動増幅器である、請求項１３に記載のタッチ検出装置。
【請求項１５】
前記電圧差検出モジュールは、
第一入力端子と第二入力端子とを含み、該第一入力端子と第二入力端子との電圧差を検出する検出ユニットと、
前記複数の感知シーケンスに結合された入力インターフェイスと、前記検出ユニットの前記第一入力端子と前記第二入力端子に結合された出力インターフェイスとを含み、パルス信号に基づいて前記複数の感知シーケンスから前記出力インターフェイスに結合される隣接した２つの感知シーケンスを順次選出するスイッチユニットとを含む、請求項９に記載のタッチ検出装置。
【請求項１６】
前記各検出ユニットは差動増幅器である、請求項１５に記載のタッチ検出装置。
【請求項１７】
前記信号出力モジュールは、前記複数のパルス信号を前記複数の感知シーケンスに順次出力する、請求項１５に記載のタッチ検出装置。
【請求項１８】
前記タッチパッドは液晶表示パネルであり、前記複数の感知シーケンスは該液晶表示パネルのスキャンラインとデータラインである、請求項９に記載のタッチ検出装置。
【請求項１９】
表示機能とタッチ機能とを備えたタッチ表示装置であって、
複数のピクセルユニットと、マトリックスとして配列された複数のワイヤーを含み、各ピクセルユニットは直交する２本のワイヤーの交点に形成される液晶表示パネルと、
画像データに基づいて複数の制御信号と複数の画像データ信号を前記複数のワイヤーに出力し、画像を表示するように前記複数のピクセルユニットを駆動する画像駆動モジュールと、
前記複数のワイヤーに結合され、前記複数のワイヤーの容量変化に基づいてタッチイベントの状態を判断するタッチ検出装置とを含む、タッチ表示装置。
【請求項２０】
前記タッチ検出装置は、
複数のパルス信号を前記複数のワイヤーに出力する信号出力モジュールと、
前記複数のパルス信号を受信したときに、前記複数のワイヤーのうち隣接したワイヤーの電圧差を検出し、複数の検出結果を生成する電圧差検出モジュールと、
前記複数の検出結果に基づいてタッチイベントの状態を判断する判断モジュールとを含む、請求項１９に記載のタッチ表示装置。
【請求項２１】
前記判断モジュールは、前記パルス信号を受信したとき、前記複数の検出結果により第一ワイヤーと第二ワイヤーとの電圧差が所定値より大きいと示された場合に、前記タッチイベントが該第一ワイヤーか、または該第一感知ワイヤーに隣接した前記第二ワイヤーに発生したと判断する、請求項２０に記載のタッチ表示装置。
【請求項２２】
前記判断モジュールは、前記パルス信号を受信したとき、前記複数の検出結果により前記第一ワイヤーと前記第二ワイヤーとの電圧差が所定値より小さいと示された場合に、前記タッチイベントが発生していないと判断する、請求項２０に記載のタッチ表示装置。
【請求項２３】
前記信号出力モジュールは前記画像駆動モジュールに統合される、請求項２０に記載のタッチ表示装置。
【請求項２４】
前記判断モジュールは、前記複数の検出結果により、前記複数のワイヤーのうち隣接したワイヤーにおいて所定値より大きい電圧差の数量が所定数より大きいと示された場合に、誤判が発生したと判断する、請求項２０に記載のタッチ表示装置。
【請求項２５】
前記電圧差検出モジュールは複数の検出ユニットを含み、各検出ユニットは前記複数のワイヤーのうち隣接した２本のワイヤーに結合され、パルス信号を受信したときに該隣接した２本のワイヤーの電圧差を検出する、請求項２０に記載のタッチ表示装置。
【請求項２６】
前記各検出ユニットは差動増幅器である、請求項２５に記載のタッチ表示装置。
【請求項２７】
前記電圧差検出モジュールは、
第一入力端子と第二入力端子とを含み、この第一入力端子と第二入力端子との電圧差を検出する検出ユニットと、
前記複数のワイヤーに結合された入力インターフェイスと、前記検出ユニットの前記第一入力端子と前記第二入力端子に結合された出力インターフェイスとを含み、パルス信号に基づいて前記複数のワイヤーから前記出力インターフェイスに結合される隣接した２本のワイヤーを順次選出するスイッチユニットとを含む、請求項２０に記載のタッチ表示装置。
【請求項２８】
前記各検出ユニットは差動増幅器である、請求項２７に記載のタッチ表示装置。
【請求項２９】
前記信号出力モジュールは、前記複数のパルス信号を前記複数のワイヤーに順次出力する、請求項２０に記載のタッチ表示装置。
【発明の詳細な説明】
【技術分野】
【０００１】
本発明はタッチ検出方法、タッチ検出装置、及びタッチ表示装置に関し、特に製造コストを節約し、利用の利便性を向上させることができるタッチ検出方法、タッチ検出装置、及びタッチ表示装置に関する。
【背景技術】
【０００２】
タッチ表示装置は操作の容易さ、応答の迅速さ、及び省空間などのメリットを持ち、重要な入力インターフェイスになり、ＰＤＡ（パーソナルデジタルアシスタント）、ＰＣ（パーソナルコンピュータ）、スマートモバイルフォン、ノートパソコン、ＰＯＳ（販売時点情報管理）システムなどさまざまな民生用電子製品に用いられている。タッチ表示装置は表示装置（液晶またはＣＣＦＬ（冷陰極蛍光ランプ））と透明タッチパッドからなる。詳しく言えば、タッチ機能と表示機能の両方とも実現するために、タッチ表示装置は透明タッチパッドを表示装置に固定することで製造される。タッチパッドの動作原理は当業者に周知されており、そのうち静電容量式のタッチテクノロジーは安定した性能と、優れた感度及び耐久性を兼ね備え、最も普及している。
【０００３】
静電容量式のタッチテクノロジーは、人体（または物体）がタッチパッドに接触するときに静電気による容量変化を検出し、タッチイベントを判断する。言い換えれば、静電容量式のタッチテクノロジーは、人体がタッチパッドの一点に接触する前後の容量特性を検出し、タッチ機能を実現する。図１を参照する。図１は従来の技術による静電容量式タッチパッド１０を表す説明図である。静電容量式タッチパッド１０は、基板１０２に配置された感知キャパシタシーケンスＸ１−Ｘｍ、Ｙ１−Ｙｎから構成される。各感知キャパシタシーケンスは一列の感知キャパシタから形成された一次元構造である。従来の技術によるタッチ検出方法は各感知キャパシタシーケンスの容量を検出することでタッチイベントの有無を判断する。感知キャパシタシーケンスＸ３がａ個の感知キャパシタを含むとすれば、各感知キャパシタの容量はＣとなる。通常の状況では、感知キャパシタシーケンスＸ３の容量はａＣである。感知キャパシタシーケンスＸ３の感知キャパシタへの人体（例えば指）の接触により引き起こされる容量変化をΔＣとすれば、感知キャパシタシーケンスＸ３の容量がａＣ＋ΔＣとなった場合、感知キャパシタシーケンスＸ３においてタッチイベントが検出される。したがって、図１に示すように、感知キャパシタシーケンスＸ３とＹ３の交点に指で触れれば、感知キャパシタシーケンスＸ３とＹ３の静電容量は同時に変化し、制御モジュールはタッチ感知点が（Ｘ３、Ｙ３）にあると判断できる。
【０００４】
注意すべきは、図１に示す容量式タッチパッド１０はタッチ機能を実施するが、表示機能を含まない。タッチ表示装置を実現するためには、容量式タッチパッド１０は透明材料で製造して表示装置に装着しなければならない。例えば、図２Ａと図２Ｂを参照する。図２Ａは従来の技術によるタッチ表示装置２０を表す説明図であり、図２Ｂはタッチ表示装置２０の点Ａ−点Ａ’に沿った断面図である。タッチ表示装置２０は液晶表示パネル２００と透明タッチパッド２０２を含む。液晶パネル２００と透明タッチパッド２０２は接着剤またはその他の材料で相互に接着されている。透明タッチパッド２０２の構造と動作原理は図１に示す容量式タッチパッド１０と同様で、つまり外部物体との接触により引き起こされる容量変化を検出し、制御モジュール（図２Ａと図２Ｂでは図示されない）でタッチイベントを判断する。
【０００５】
前に述べたように、タッチ機能と表示機能の両方とも満足するために、タッチ表示装置２０では液晶表示パネル２００と透明タッチパッド２０２が結合されている。このような結合は液晶表示パネル２００と透明タッチパネル２０２のハードウェア構造の統合に役立たないのみならず、全体の厚みを増やしかねない。したがって、従来のタッチ表示装置２０は改良しなければならない。
【０００６】
また、従来の技術は、感知キャパシタシーケンスの放電時間を計算し、感知キャパシタシーケンスにタッチイベントが発生したかどうかを判断することで、タッチポイントを判断する。例えば図３を参照する。図３は従来のタッチパッド３００に適用される制御モジュール３０の機能ブロック図である。タッチパッド３００は例えば図１に示す容量式タッチパッド１０または図２Ａに示す透明タッチパッド２０２である。制御モジュール３０はタッチ感知ユニット３０２と、マイクロ制御ユニット３０４と、リングカウンタ３０６と、ホスト３０８とを含む。タッチパッド３００でのタッチイベントにより発生した感知キャパシタシーケンスの容量変化は、充電時間や放電時間などの時定数に直接影響する。したがって、感知キャパシタシーケンスの容量変化を検出するとき、タッチ感知装置３０２は高レベル（ロジック１）信号を感知キャパシタに発信し、この高レベル信号の変化を継続的に検出する。タッチ感知ユニット３０２による検出結果とリングカウンタ３０６による安定したクロック信号に基づいて、マイクロ制御ユニット３０４は高レベル信号が所定の低レベルに下がる時間を計算する。この時間が所定値を超えれば、感知キャパシタシーケンスの容量が増加し、タッチイベントが発生したと判断される。さもなければ、タッチイベントが発生していないと判断する。このような検出プロセスを繰り返せば、制御モジュール３００はタッチイベントが発生したかどうか、発生した場合にその箇所と発生時間を判断することができる。
【０００７】
したがって、タッチパッド３００のタッチイベント検出方法として、タッチ感知ユニット３０２は各感知キャパシタシーケンスを検出しなければならない。このような状況では、タッチパッド３００のサイズが大きくなれば、例えば大型のタッチ表示装置の場合、周囲の静電容量の影響と変化範囲も増大するので、実施が困難となる。また、タッチパッド３００の大型化につれ、検出サイクルを完成させる所要時間も長くなるので、タッチイベントの変化を即時に反映することができず、利用の利便性も影響される。したがって、従来のタッチ検出方法を改良しなければならない。
【発明の概要】
【発明が解決しようとする課題】
【０００８】
したがって、本発明の主な目的は、タッチ検出方法、タッチ検出装置、及びタッチ表示装置を提供することにある。
【課題を解決するための手段】
【０００９】
本発明では、マトリックスとして配列された複数の感知シーケンスを含むタッチパッドでタッチイベントを検出するタッチ検出方法を開示する。タッチ検出方法は、複数のパルス信号を複数の感知シーケンスに出力する段階と、複数のパルス信号を受信したときに、複数の感知シーケンスのうち隣接した感知シーケンスの電圧差を検出し、複数の検出結果を生成する段階と、複数の検出結果に基づいてタッチイベントの状態を判断する段階とを含む。
【００１０】
本発明では更に、マトリックスとして配列された複数の感知シーケンスを含むタッチパッドでタッチイベントを検出するタッチ検出装置を開示する。タッチ検出装置は、複数のパルス信号を複数の感知シーケンスに出力する信号出力モジュールと、複数のパルス信号を受信したときに、複数の感知シーケンスのうち隣接した感知シーケンスの電圧差を検出し、複数の検出結果を生成する電圧差検出モジュールと、複数の検出結果に基づいてタッチイベントの状態を判断する判断モジュールとを含む。
【００１１】
本発明では更に、表示機能とタッチ機能を備えたタッチ表示装置を開示する。タッチ表示装置は、複数のピクセルユニットと、マトリックスとして配列された複数のワイヤーを含み、各ピクセルユニットは直交する２本のワイヤーの交点に形成される液晶表示パネルと、
画像データに基づいて複数の制御信号と複数の画像データ信号を前記複数のワイヤーに出力し、画像を表示するように前記複数のピクセルユニットを駆動する画像駆動モジュールと、複数のワイヤーに結合され、複数のワイヤーの容量変化に基づいてタッチイベントの状態を判断するタッチ検出装置とを含む。
【図面の簡単な説明】
【００１２】
【図１】従来の技術による静電容量式タッチパッドを表す説明図である。
【図２Ａ】従来の技術によるタッチ表示装置を表す説明図である。
【図２Ｂ】図２Ａに示すタッチ表示装置の点Ａ−点Ａ’に沿った断面図である。
【図３】従来のタッチパッドに適用される制御モジュールの機能ブロック図である。
【図４Ａ】本発明の実施例によるタッチ表示装置を表す説明図である。
【図４Ｂ】図４Ａに示すタッチ表示装置の点Ｂ−点Ｂ’に沿った断面図である。
【図４Ｃ】図４Ａに示すタッチ表示装置の機能ブロック図である。
【図５】図４Ａに示す関連信号の説明図である。
【図６Ａ】図４Ｃに示す電圧差検出モジュールを表す説明図である。
【図６Ｂ】図４Ｃに示す電圧差検出モジュールを表す説明図である。
【図７】本発明によるタッチ検出プロセスを表す説明図である。
【発明を実施するための形態】
【００１３】
かかる方法及び装置の特徴を詳述するために、具体的な実施例を挙げ、図を参照して以下に説明する。
【００１４】
図４Ａから図４Ｃを参照する。図４Ａは本発明の実施例によるタッチ表示装置４０を表す説明図であり、図４Ｂはタッチ表示装置４０の点Ｂ−点Ｂ’に沿った断面図であり、図４Ｃはタッチ表示装置４０の機能ブロック図である。図４Ａと図４Ｂに示すように、タッチ表示装置４０は液晶表示パネル４００でタッチ機能と表示機能を実施する。言い換えれば、図２に示すような透明タッチパッド２０２をタッチ表示装置４０に装着しなくてもタッチイベントを検出するという目標は達成される。
【００１５】
詳しく言えば、図４Ｃに示すように、液晶表示パネル４００のほか、タッチ表示装置４０は更に画像駆動モジュール４０２とタッチ検出装置４０４を含む。液晶表示パネル４００は液晶が充填された２枚の基板からなる。そのうち１枚にはワイヤーＬＸ＿１−ＬＸ＿２ｎと、ワイヤーＬＹ＿１−ＬＹ＿２ｍと、複数の薄膜トランジスタＱが設けられており、もう１枚には共通電極が設けられている。液晶表示パネル４００の構造は当業者に周知であり、本発明の重点ではない。したがって、説明を簡単にするために、図４では、ワイヤーＬＸ＿ｂ、ＬＸ＿（ｂ＋１）、ＬＹ＿ａ、ＬＹ＿（ａ＋１）と、４つの薄膜トランジスタＱを含んだ液晶表示パネル４００のみ示している。また、ワイヤーＬＸ＿１−ＬＸ＿２ｎとＬＹ＿１−ＬＹ＿２ｍは本発明の概念を明確にするために用いられ、実際にはワイヤーＬＸ＿１−ＬＸ＿２ｎをスキャンラインまたはゲートラインと、ワイヤーＬＹ＿１−ＬＹ＿２ｍをデータラインまたはソースラインと呼ぶこともできる。なお、液晶表示パネル４００の２枚の基板の特性は、等価キャパシタＣで示すことができる。表示対象の画像データに基づいて、画像駆動モジュール４０２は制御信号とデータ信号をワイヤーＬＸ＿１−ＬＸ＿２ｎとＬＹ＿１−ＬＹ＿２ｍに出力し、各薄膜トランジスタＱの導電性と等価キャパシタＣの電圧差を制御し、液晶分子の配列及び対応する光透過率を変更することで、対応するピクセルのグレーレベルを制御する。それにより画像はパネルで表示される。
【００１６】
注意すべきは、画像駆動モジュール４０２は、タッチ表示装置４０で画像を表示するように液晶表示パネル４００を制御するために用いられる素子、回路、ファームウェアなどの結合を表す。実作では、画像駆動モジュール４０２はタイミングコントローラ、ゲートドライバー、ソースドライバー、共通電圧発生器とを含む。説明を明確にするために、本発明の概念が影響されない限り、これらの素子は画像駆動モジュール４０２の機能ブロックとして簡素化されている。同様に、画像駆動モジュール４０２と液晶表示パネル４００との間のインターフェイスＩＦＣ１はすべて有形または無形の接続を示す。これは応用範囲やシステム要求によって異なりうるので、本発明を限定するものではない。
【００１７】
本発明は別設の透明タッチパネルがなくてもタッチ機能と表示機能を実施することができる。図４Ｃに示すように、タッチ検出装置４０４は信号出力モジュール４０６と、電圧差検出モジュール４０８と、判断モジュール４１０とを含む。信号出力モジュール４０６はインターフェイスＩＦＣ２を介してワイヤーＬＸ＿１−ＬＸ＿２ｎとＬＹ＿１−ＬＹ＿２ｍにパルス信号Ｖ＿ｐを出力する。電圧差検出モジュール４０８は、ワイヤーＬＸ＿１−ＬＸ＿２ｎとＬＹ＿１−ＬＹ＿２ｍがパルス信号Ｖ＿ｐを受信したときに電圧ＶＸ＿１−ＶＸ＿２ｎとＶＹ＿１−ＶＹ＿２ｍを検出し、隣接したワイヤーの電圧差を判断し、対応する電圧差結果ＶＤ＿Ｘ１−ＶＤ＿ＸｎとＶＤ＿Ｙ１−ＶＤ＿Ｙｍを生成するために用いられる。最後に、判断モジュール４１０はタッチイベントが発生したかどうか、発生した場合にその箇所と発生時間を判断する。
【００１８】
簡単に言えば、タッチ検出装置４０４はパルス信号Ｖ＿ｐを、液晶表示パネル４００に本来設けられたワイヤーＬＸ＿１−ＬＸ＿２ｎとＬＹ＿１−ＬＹ＿２ｍに出力し、パルス信号Ｖ＿ｐの受信時に電気干渉の影響により隣接したワイヤーの電圧差が所定値より大きいかどうかを判断し、それに基づいてタッチイベントが発生したかどうか、または発生箇所と発生時間を判断する。ワイヤーＬＸ＿ｃとそれに隣接したワイヤーＬＸ＿（ｃ＋１）を例に挙げれば、ワイヤーＬＸ＿（ｃ＋１）にタッチイベントが発生すれば、対応する信号は図５に示すとおりである。図５によれば、時点Ｔ１にはタッチイベントが発生していないので、ワイヤーＬＸ＿ｃとＬＸ＿（ｃ＋１）は同じ電気干渉に影響される。したがって、信号出力モジュール４０６から出力されたパルス信号Ｖ＿ｐを受信するとき、ワイヤーＬＸ＿ｃとＬＸ＿（ｃ＋１）の対応する電圧ＶＸ＿ｃとＶＸ＿（ｃ＋１）は上がる範囲と傾向が同じである。この状況では、電圧ＶＸ＿ｃとＶＸ＿（ｃ＋１）の電圧差結果ＶＤ＿ｃ＿（ｃ＋１）は０である。その後、時点Ｔ２の前にワイヤーＬＸ＿（ｃ＋１）にタッチイベントが発生し、ワイヤーＬＸ＿ｃとＬＸ＿（ｃ＋１）への電気干渉が異なるようになる。したがって、信号出力モジュール４０６が時点Ｔ２にパルス信号Ｖ＿ｐを再び出力するとき、電圧ＶＸ＿ｃとＶＸ＿（ｃ＋１）の上がる範囲と傾向は異なり、電圧ＶＸ＿ｃとＶＸ＿（ｃ＋１）の電圧差結果ＶＤ＿ｃ＿（ｃ＋１）は０より大きくなる。したがって、判断モジュール４１０は時点Ｔ２にワイヤーＬＸ＿（ｃ＋１）にタッチイベントが発生したと判断できる。
【００１９】
そのため、タッチ検出装置４０４は別設の透明タッチパッドを利用せず、パルス信号Ｖ＿ｐを受発信することで、液晶表示パネル４００にタッチイベントが発生したか、またはタッチイベントの発生箇所と発生時間を判断する。注意すべきは、表示品質の均一化を達成するために、液晶表示パネル４００の任意のピクセル間の容量差は相当に小さくされている。したがって、液晶表示パネル４００に指でクリックするとき、本発明では隣接したワイヤーの電圧差を検出し、容量変化を引き起こす指接触があったかどうかを判別する。したがって、透明タッチパッドが不要となるほか、大型の表示装置の場合、本発明はタッチイベントの状態と内容を迅速かつ精確に判断することができる。そのため、本発明は利用の利便性を向上させ、タッチ表示装置の製造コストを削減することができ、大型の表示装置に有益である。
【００２０】
注意すべきは、図４Ｃに示す機能ブロック図はタッチ表示装置４０の動作原理を示し、その実施形態は要求によって修正することができる。例えば、図４ＣではインターフェイスＩＦＣ１とＩＦＣ２は２つの要素として示しているが、実作ではインターフェイスＩＦＣ１とＩＦＣ２として同じインターフェイスを利用してもよい。また、タッチ検出装置４０４の主要機能はパルス信号Ｖ＿ｐの出力と、隣接ワイヤーの電圧差検出と、対応するタッチイベント状態の判断を含み、前述した概念に対する修正や変更はいずれも本発明の範囲に属する。信号出力モジュール４０６を例に挙げれば、パルス信号Ｖ＿ｐを出力する時間（またはタッチ検出装置４０４でパルス信号Ｖ＿ｐを検出する時間）は画像駆動モジュール４０２の動作に合わせて設定する（例えば画面の正常表示を確保するために、垂直帰線消去時間に全画面検出、または水平帰線消去時間に特定ワイヤーの検出を実行する）ことができる。もちろん、パルス信号Ｖ＿ｐの発信周期、発生方式、信号フォーマットは前掲実施例に限らず、システム要求に応じて適宜に修正しなければならない。また、信号出力モジュール４０６は画像駆動モジュール４０２のゲート駆動回路とソース駆動回路により実施され、タイミングコントローラの制御コマンドに従ってパルス信号Ｖ＿ｐを適時に発信することができる。したがって、大幅に修正する必要がなく、タイミングコントローラと、ゲート駆動回路と、ソース駆動回路の動作ファームウェアを調整するだけで、信号出力モジュール４０６の全機能を実現できる。したがって、製造コストは削減される。
【００２１】
また、図４Ｃに示すように、信号出力モジュール４０６と、電圧差検出モジュール４０８と、判断モジュール４１０はそれぞれ１つのブロックとして示されているが、これはモジュールの動作原理を説明するために表示され、実際には各モジュールは１個以上のユニットを含むことが可能である。例えば図６Ａに示す検出ユニットＤＥＴ＿Ｘ１−ＤＥＴ＿Ｘｎは、ワイヤーＬＸ＿１−ＬＸ＿２ｎにおいて隣接したワイヤーの電圧差を検出するために用いられ、電圧差検出モジュール４０８の一部（半分）を構成する。検出ユニットＤＥＴ＿Ｘ１−ＤＥＴ＿Ｘｎは例えば、隣接ワイヤーの電圧差をそれぞれ検出する差動増幅器またはコンパレータである。また、図６Ｂに示すスイッチユニット６００と検出ユニットＤＥＴ＿Ｘは、前記検出ユニットＤＥＴ＿Ｘ１−ＤＥＴ＿Ｘｎに取って代わるものとして用いられる。スイッチユニット６００は検出ユニットＤＥＴ＿Ｘに接続されるワイヤーを順次切り替える。したがって、回路空間と製造コストは削減される。もちろん、図６Ａに示す実施例や図６Ｂに示す実施例を電圧差検出モジュール４０８を適用するかを問わず、前述の主な目的は、本発明の要求を満たすために隣接ワイヤーの電圧差を検出することにある。図６Ａに示す実施例を電圧差検出モジュール４０８に適用した場合、信号出力モジュール４０６はすべてのワイヤーにパルス信号Ｖ＿ｐを同時に出力する。図６Ｂに示す実施例を電圧差検出モジュール４０８に適用した場合、信号出力モジュール４０６はスイッチユニット６００のスイッチクロック信号に従ってワイヤーにパルス信号Ｖ＿ｐを順次出力する。言い換えれば、タッチ検出装置４０４を設計するとき、設計者は前掲実施例に限らず、実際の要求に応じて動作を調整しなければならない。
【００２２】
一方、前掲実施例は液晶表示パネル４００を例にして、本発明では液晶表示パネル４０でタッチ検出機能が実現できることを説明したが、液晶表示パネル４００以外、タッチ検出装置４０４の概念は従来のタッチパネル（例えば図１に示す例）にも適用できる。すなわち、パルス信号を信号出力モジュールでタッチパッドの感知シーケンスに出力した後、パルス信号を受信したときに電圧差検出モジュールで隣接した感知シーケンスの電圧差を検出し、最後に判断モジュールで電圧差結果に基づいてタッチイベントの状態を判断する。
【００２３】
前記タッチ検出装置４０４の動作は図７に示すタッチ検出プロセス７０とすることができ、タッチパッドや他の装置に適用できる。タッチ検出プロセス７０は以下のステップを含む。
ステップ７００：開始。
ステップ７０２：信号出力モジュール４０６はパルス信号Ｖ＿ｐをワイヤーＬＸ＿１−ＬＸ＿２ｎとＬＹ＿１−ＬＹ＿２ｍに出力する。
ステップ７０４：電圧差検出モジュール４０８は、ワイヤーＬＸ＿１−ＬＸ＿２ｎとＬＹ＿１−ＬＹ＿２ｍがパルス信号Ｖ＿ｐを受信したときに隣接したワイヤーの電圧差を検出し、電圧差結果ＶＤ＿Ｘ１−ＶＤ＿ＸｎとＶＤ＿Ｙ１−ＶＤ＿Ｙｍを生成する。
ステップ７０６：判断モジュール４１０は電圧差結果ＶＤ＿Ｘ１−ＶＤ＿ＸｎとＶＤ＿Ｙ１−ＶＤ＿Ｙｍに基づいてタッチイベントの状態を判断する。
ステップ７０８：終了。
【００２４】
前記タッチ検出プロセス７０はタッチ検出装置４０４の動作を説明する。詳しい説明は前述を参照すればよく、ここで説明を省略する。
【００２５】
従来の技術ではタッチ表示装置を実施するために透明タッチパッドを表示装置に装着しなければならないので、製造コストが増える。また、従来のタッチ検出方法は大型パネルの応用に適さない。それに比べて、本発明は隣接したワイヤーの電圧差を検出し、対応するワイヤーへの電気干渉の影響により電圧差が所定値より大きいかどうかを判断することで、タッチイベントが発生したかどうか、発生した場合にその箇所と発生時間を判断する。したがって、本発明を液晶表示パネルに実施すれば、別設のタッチパッドは不要で、製造コストは削減できる。もっと重要なことに、大型の応用では本発明はタッチイベントの状態と内容を迅速かつ精確に判断し、利用の利便性を向上させることができる。
【００２６】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図１】
2011081767.tif 000003
【図２Ａ】
2011081767.tif 000004
【図２Ｂ】
2011081767.tif 000005
【図３】
2011081767.tif 000006
【図４Ａ】
2011081767.tif 000007
【図４Ｂ】
2011081767.tif 000008
【図４Ｃ】
2011081767.tif 000009
【図５】
2011081767.tif 000010
【図６Ａ】
2011081767.tif 000011
【図６Ｂ】
2011081767.tif 000012
【図７】
2011081767.tif 000013